(57)【特許請求の範囲】
【請求項１】
前面がクッション体により覆われた合成樹脂製の基板を有する背凭れを、脚体の後上方に起立する背凭れ支持体により支持してなる椅子において、
前記基板を、背枠と、この背枠により囲まれた内面に、周辺部の前面が背枠の前面よりも後方に凹入するようにして連設された可撓性の背板とからなるものとし、前記基板の前面において背枠と背板とによって形成される前面が開放された凹入部に、前記クッション体の後面に突設した凸部を嵌合するとともに、前記基板と前記クッション体とを表皮材により覆い、かつ前記背枠の両側部を前記背凭れ支持体により支持したことを特徴とする椅子。
【請求項２】
背枠と背板との後面を、同一面に整合するように連続させてなる請求項１記載の椅子。
【請求項３】
背板の厚さを背枠の厚さよりも薄肉とし、前記背板における座者の背中を支持する部分に、上下及び左右方向に近接して並ぶ開口を多数設けてなる請求項１または２記載の椅子。
【請求項４】
背枠の両側部の前面に、中央部が前方に突出する球面状の前向突出部を設け、この前向突出部の後面に、それと補形をなすべく背凭れ支持体の両側部に突設した球面状の凸部を摺動自在に嵌合し、前記凸部の前面に突設した連結軸を、前記前向突出部に設けた貫通孔に遊嵌し、前記前向突出部より前方に突出する連結軸の前端部に、上下及び左右の寸法を前記貫通孔の前端開口部の寸法よりも大とした抜け止め手段を設けることにより、背凭れを、各連結軸に対して全方向に回動可能として背凭れ支持体に装着してなる請求項１〜３のいずれかに記載の椅子。
【請求項５】
背枠を、その上下方向の中間部が前方に突出するように、側面視ほぼくの字状に折曲し、この折曲部の近傍に、球面状の前向突出部を設けてなる請求項４記載の椅子。
【請求項６】
背枠の両側部前面に、前方に開口する凹部を設け、この凹部の後壁に前向突出部を形成し、前記凹部に嵌合したカバーにより、抜け止め手段の前方を覆ってなる請求項４または５記載の椅子。
【発明の詳細な説明】
【技術分野】
【０００１】
本発明は、前面がクッション体により覆われた合成樹脂よりなる基板を有する背凭れを、脚体の後上方に起立する背凭れ支持体により支持してなる椅子に関する。
【背景技術】
【０００２】
従来のこのような椅子としては、多数の通孔が穿設された可撓性の基板(シェル)の前面を、クッション体により覆ってなる背凭れを、脚体の後上方に起立する左右の背凭れフレームにより支持したもの(例えば特許文献１参照)や、可撓性の基板の前面を、上下２個のクッション体により覆ってなる背凭れの下端部を、脚体の後上方に起立する背受けフレームにより支持したもの(例えば特許文献２参照)。
また、背枠により囲まれた内方に、可撓性の背板を有する合成樹脂製の背凭れを、脚体の後上方に起立する背フレームにより支持した椅子もある(例えば特許文献３参照)。
【先行技術文献】
【特許文献】
【０００３】
【特許文献１】特開２００２−１３６３８３号公報
【特許文献２】特開２００６−０４８０１号公報
【特許文献３】特開２００９−１１２７２９号公報
【発明の概要】
【発明が解決しようとする課題】
【０００４】
上記特許文献１及び２に記載されている椅子においては、いずれも、基板の前面は平滑面とされているので、基板の前面に、クッション体を位置ずれを防止して安定よく取り付けるために、取付片やクリップ等の取付部材を使用しており、クッション体の取付けが面倒であるとともに、部品点数や加工工数も増える。
また、基板全体が、ほぼ同じ厚さに形成されているので、基板における背凭れフレームへの支持部の強度が小さく、基板を背凭れフレームに強固に取付けたり、快適な着座感が得られる好ましい態様で取付けたりするのには限界がある。
【０００５】
特許文献３に記載の椅子においては、背板よりも曲げ剛性の高い背枠を、背フレームにより支持しているので、上記特許文献のものに比して、背凭れの取付強度は大きい。
しかし、背枠と背板とは、ほぼ同一平面をなしているので、それらの前面にクッション体を取り付けようとした際、何らかの取付部材を使用しない限り、クッション体を、位置決めして安定よく取り付けることはできない。
【０００６】
本発明は、上記問題点に鑑みてなされたもので、取付部材を用いることなく、基板の前面に、クッション体を、容易に位置決めして安定よく取り付けることができ、かつ背凭れ支持体に基板を強固に、しかも快適な着座感が得られるように取付けうるようにした椅子を提供することを目的としている。
【課題を解決するための手段】
【０００７】
本発明によると、上記課題は、次の各項のようにして解決される。
（１）前面がクッション体により覆われた合成樹脂製の基板を有する背凭れを、脚体の後上方に起立する背凭れ支持体により支持してなる椅子において、前記基板を、背枠と、この背枠により囲まれた内面に、周辺部の前面が背枠の前面よりも後方に凹入するようにして連設された可撓性の背板とからなるものとし、前記基板の前面において背枠と背板とによって形成される前面が開放された凹入部に、前記クッション体の後面に突設した凸部を嵌合するとともに、前記基板と前記クッション体とを表皮材により覆い、かつ前記背枠の両側部を前記背凭れ支持体により支持する。
【０００８】
このような構成とすると、基板の前面に形成された凹入部に、クッション体の後面の凸部を嵌合するとともに、基板とクッション体とを表皮材により覆うことにより、クッション体は、上下左右方向に位置決めされるので、クッション体を取付部材等により位置決めしなくても、これを基板の前面に安定よく取り付けることができる。
また、基板の前面に凹入部を形成すると、背枠の厚さが背板よりも厚くなって、背枠の強度が大となり、この強度の大きな背枠の両側部を、背凭れ支持体により支持しているので、背凭れ支持体に基板を強固に取付けることができる。従って、可撓性の背板を、クッション体を介して後方に効果的に撓ませることができ、快適な着座感が得られる。
【０００９】
（２）上記(１)項において、背枠と背板との後面を、同一面に整合するように連続させる。
【００１０】
このような構成とすると、背枠と背板が一体感を呈し、後方からの見栄えが向上する。
【００１１】
（３）上記(１)または(２)項において、背板の厚さを背枠の厚さよりも薄肉とし、前記背板における座者の背中を支持する部分に、上下及び左右方向に近接して並ぶ開口を多数設ける。
【００１２】
このような構成とすると、座者が背凭れに凭れ掛けた際に、背板が後方に撓み易くなるので、より快適な着座感が得られる。
【００１３】
（４）上記(１)〜(３)項のいずれかにおいて、背枠の両側部の前面に、中央部が前方に突出する球面状の前向突出部を設け、この前向突出部の後面に、それと補形をなすべく背凭れ支持体の両側部に突設した球面状の凸部を摺動自在に嵌合し、前記凸部の前面に突設した連結軸を、前記前向突出部に設けた貫通孔に遊嵌し、前記前向突出部より前方に突出する連結軸の前端部に、上下及び左右の寸法を前記貫通孔の前端開口部の寸法よりも大とした抜け止め手段を設けることにより、背凭れを、各連結軸に対して全方向に回動可能として背凭れ支持体に装着する。
【００１４】
このような構成とすると、背枠の両側部が左右の連結軸に対して全方向に回動しうるので、座者が背凭れに凭れ掛けて、後方にリクライニングさせ、背板の左右方向の中間部が後方に凹入するように弾性撓曲したとき、背枠の両側部がそれに追従して、左右の連結軸に対して平面視においてハ字状をなすように回動したり、互いに内方に引き寄せられるように移動したりして、背板の左右方向の中間部の後方への弾性撓曲を許容したり助長したりすることができ、より快適な着座感が得られる。
また、背凭れ支持体に、背凭れを簡単に、かつ強固に装着することができる。
【００１５】
（５）上記(４)項において、背枠を、その上下方向の中間部が前方に突出するように、側面視ほぼくの字状に折曲し、この折曲部の近傍に、球面状の前向突出部を設ける。
【００１６】
このような構成とすると、背枠自体の撓み剛性が大となるとともに、背枠の折曲部の近傍に、球面状の前向突出部を設けてあるので、背枠と背凭れ支持体との連結部の強度も大となる。
【００１７】
（６）上記(４)または(５)項において、背枠の両側部前面に、前方に開口する凹部を設け、この凹部の後壁に前向突出部を形成し、前記凹部に嵌合したカバーにより、抜け止め手段の前方を覆う。
【００１８】
このような構成とすると、抜け止め手段が背枠の前方に露呈することがなくなるので、体裁がよく、また、基板の前面を覆うクッション体が抜け止め手段に擦れて損傷したり、抜け止め手段がクッション体を介して座者の背中に当たり、不快感を与えたりするのを防止することができる。
【発明の効果】
【００１９】
本発明によれば、基板の前面に、クッション体を、容易に位置決めして安定よく取り付けることができ、かつ背凭れ支持体に基板を強固に、しかも快適な着座感が得られるように取付けることができる。
【図面の簡単な説明】
【００２０】
【図１】本発明の椅子の側面図である。
【図２】同じく、後面図である。
【図３】図２のIII-III線に沿う要部の拡大横断平面図である。
【図４】背凭れの中央縦断拡大側面図である。
【図５】背凭れの基板の正面図である。
【図６】同じく、基板の後面図である。
【図７】同じく、基板を前方より見た斜視図である。
【図８】図２のVIII-VIII線拡大縦断側面図である。
【図９】図８のIX-IX線横断平面図である。
【発明を実施するための形態】
【００２１】
以下、本発明の一実施形態を、図面に基づいて説明する。
図１は、本発明の椅子の側面図、図２は、同じく後面図を示し、この椅子は、先端部にキャスタ１が取付けられた放射方向を向く５本の脚杆２と、それらの中心部に立設され、内部に収容されたガススプリング(図示略)により伸縮可能な脚柱３と、脚柱３の上端に後端部が取付けられた、やや前上方を向く支基４と、支基４内の前向付勢手段(図示略)に連係された左右方向を向く六角形の枢軸５の両側端部に前端部が固着された側面視前向きＬ字状の背凭れ支持体６と、この背凭れ支持体６により支持された背凭れ７と、支基４により支持された座８とを備えている。
【００２２】
背凭れ支持体６は、左右１対の背凭れ支持杆９、９同士を、中間部において互いに一体的に結合してなり、両背凭れ支持杆９における前下方に向かって左右に拡開する前向杆９ａ、９ａの前端部は、上記枢軸５の両端部に嵌合され、また、両背凭れ支持杆９における上方に向かって左右に拡開する上向杆９ｂ、９ｂの上端部により、背凭れ７の左右両側部の中間部後面が支持されている(詳細は後述する)。なお、左右の背凭れ支持杆９における上半部の後面には、後面視Ｘ字状のカバー１０が止着されている。
【００２３】
背凭れ７は、図３の拡大横断平面図(脚杆、背凭れ支持体、座等は図示略)、及び図４の拡大縦断側面図に示すように、合成樹脂製の基板１１と、その全表面を覆うクッション体１２とからなっている。クッション体１２は、基板１１の前面と外周面を覆うウレタン発泡体等のクッション材１２ａと、このクッション材１２ａの表面と基板１１の後面全体を覆う布地等の表皮材１２ｂとからなっている。
【００２４】
基板１１は、図５の正面図、図６の後面図、及び図７の斜視図にも示すように、正面形と後面形が共にやや縦長の矩形をなす曲げ剛性の高い背枠１３と、この背枠１３の内周面に一体成形された、背枠１３よりもかなり薄肉の可撓性の背板１４とからなっている。
【００２５】
図３及び図４に示すように、背板１４は、背枠１３の内周面に、後面同士が同一面に連続するように一体的に連設され、背板１４の周辺部の前面を、背枠１３の内周縁の前面よりも後方に凹入させることにより、基板１１における背枠１３により囲まれた部分には、前面が解放された方形の凹入部１５が形成されている。この凹入部１５に、クッション材１２ａの後面に突設した、凹入部１５と補形をなす凸部１２ｃを適正に嵌合することにより、クッション材１２ａは、上下左右方向に位置決めされて、基板１１の前面に安定よく取り付けられている。なお、クッション材１２ａは、表皮材１２ｂの張力により基板１１の前面に押し付けられるので、特別な取付手段は必要ないが、接着剤等により基板１１に固定することもある。
【００２６】
背板１４の下部を除くほぼ全面には、縦長スリット状の多数の開口１６が、上下及び左右方向に一定間隔おきに規則正しい配列で穿設されている。すなわち、互いに隣接する左右の開口１６は、その上下寸法のほぼ半分の長さだけ上下位置を異ならせた態様で、左右方向に沿って千鳥足状に近接して穿設され、かつ上下の開口１６は、互いに近接して一直線上に並んで穿設され、背板１４における座者の背中を支持する部分が、背中の形状に沿って後方に撓み易くなるようにしてある。
座者の腰部付近を支持する背板１４の下部には、不規則に並ぶ開口１７が多数穿設され、背中を支持する上部に比して撓みにくくしてある。
【００２７】
背枠１３と背板１４の上下方向の中央部のやや下方を前方に凸円弧状に緩く湾曲させることにより、側面視ほぼくの字状に折曲され、基板１１全体は、側面視前向浅皿状をなしている(図７参照)。
背枠１３における左右の折曲部のやや上部は、背凭れ支持体６に、次のようにして支持されている。
図５、及び図７〜図９(図８、図９の断面図において、クッション体は図示略)に示すように、基板１１の両側部、すなわち、背枠１３における左右の折曲部のやや上部には、方形の凹部１８、１８が設けられ、この凹部１８の内側方において背枠１３の内側縁には、凹部１８よりも上下寸法の大きな側壁１８ａが、背枠１３の前面よりも前方に突設するように形成され、この側壁１８ａの外側面は、凹部１８の内側面を兼ねている。このような側壁１８ａを設けると、背枠１３における背凭れ支持体６への連結部の強度が大となる。
上記左右の凹部１８の後壁のほぼ中央部には、側面視および平面視において、中央部が前方に突出する球面状の前向突出部１９が形成されている。
【００２８】
各前向突出部１９の後面には、それと補形をなすべく背凭れ支持杆９、９の上端部前面に別体として突設した、側面視および平面視において中央部が前方に円弧状に突出する球面状の凸部２０が摺動自在に嵌合されており、背凭れ支持杆９の上端部に後方より挿入され、凸部２０を貫通してその前方に突設する連結軸２１を、背枠１３に設けた、前方に向かってテーパー孔状に拡開する貫通孔２２に遊嵌し、背枠１３より前方に突出したボルト状の連結軸２１における雄ねじ部２１ａの前端部に、貫通孔２２の前端開口部より上下寸法および左右寸法が大きい抜け止め手段としての板ナット２３を螺合して固着することにより、背凭れ７における背枠１３の両側部は、凸部２０の前面の曲率中心を中心として、全方向に回動可能として背凭れ支持杆９、９の上端部に支持されている。なお、板ナット２３の内側面は、側壁１８ａの外側面に当接または近接することにより、回り止めされている(図９参照)。
【００２９】
背凭れ支持杆９の上端部前面と、板ナット２３の後面との間には、スペーサスリーブ２４が、凸部２０と前向突出部１９の貫通孔２２とを貫通するようにして設けられ、このスペーサスリーブ２４内に、上記連結軸２１が挿通され、板ナット２３の締め過ぎを防止しうるようにしてある。
【００３０】
なお、前向突出部１９を、球面状ではなく、側面視のみにおいて中央部が前方に突出する円弧状とするとともに、その後面に嵌合する凸部２０も、側面視のみにおいて中央部が前方に突出する円弧状とし、さらに、貫通孔２２を、上下方向に長い長孔とし、背枠１３の両側部が、凸部２０の前面の曲率中心を通る左右方向を向く軸線回りのみに回動可能として、背凭れ支持杆９の上端部により背凭れ７における背枠１３の両側部を支持するようにしてもよい。
【００３１】
背枠１３の前面の凹部１８には、前方より蓋状のカバー２５が嵌合され、板ナット２３の前方が覆われている。
このカバー２５を設けたことにより、基板１１の前面に装着されるクッション体１２の後面が、板ナット２３や凹部１８に擦れて、クッション体１２を損傷させたり、板ナット２３等がクッション体１２を介して着座者に当り、着座者に不快感を与えたりするのを防止することができる。
【００３２】
カバー２５の裏面の下部には、後上方に向かって延出する弾性舌片２５ａが連設され、この弾性舌片２５ａの後端部を、板ナット２３の下縁に圧接させることにより、板ナット２３の落ち止めや、板ナット２３を回り止めをすることができるとともに、連結軸２１がテーパー状の貫通孔２２に遊嵌されていることによる、背凭れ７のがたつきを防止することができる。なお、基板１１における背枠１３の下端部の左右方向の中央部は、連結部材２６を介して、背凭れ支持体６の前向突出部の中央部に連結されている(図１参照)。
【００３３】
背凭れ７を、背凭れ支持杆９に対して上記のように支持させたことにより、背凭れ７は、左右の凸部２０を中心として前後方向に回動することができ、着座者が背凭れ７に凭れて、後方にリクライニングさせたとき、支持部より上方の部分が後方に弾性撓曲し易くなり、快適な着座感が得られる。この際、背枠１３に設けた左右の側壁１８ａが、背凭れ７の回動に伴って発生する回転モーメントに対しての強度、剛性を高める作用をする。
また、背凭れ７の両側部に設けた貫通孔２２を、背凭れ支持杆９、９の上端部の前方を向く連結軸２１に嵌合し、貫通孔２２の前方に突出する各連結軸２１の前端部に抜け止め手段としての板ナット２３を取り付けるだけで、背凭れ７を背凭れ支持体６に簡単に取り付けることができるとともに、背凭れ７の両側部の支持部の構造を簡素化することができる。
【００３４】
さらに、背凭れ７の両側部が左右の連結軸２１、２１に対して全方向に回動しうるので、着座者が背凭れ７に凭れて、後方にリクライニングさせ、背板１４が後方に弾性変形することにより、背凭れ７の左右方向の中間部が後方に凹入するように撓曲したとき、背凭れ７の両側部がそれに追従して、左右の連結軸２１、２１に対して平面視においてハ字状をなすように回動したり、互いに内方に引き寄せられるように移動したりして、背凭れ７の左右方向の中間部の後方への撓曲を許容したり助長したりすることができ、より快適な着座感が得られる。
【００３５】
しかも、背凭れ７における基板１１の下端部の中央部は、背凭れ支持体６における屈曲部の中央部に連結されているため、着座者が背凭れ７に凭れて、後方にリクライニングさせた際に、背凭れ７の下端部が前方に回動しようとするのが抑制される。従って、背凭れ７の下端部が前方に移動して、着座者の腰部を圧迫するのを防止することができるとともに、背凭れ７が後方へ撓曲するのを助長し、着座者に快適な着座感を与えることができる。
【００３６】
上記実施形態においては、クッション材１２ａの後面に突設した凸部１２ｃを、基板１１の凹入部１５に嵌合させて、クッション体１２により、基板１１の全表面を覆うようにしているが、クッション体１２を凹入部１５のみに嵌合することもある。
【符号の説明】
【００３７】
１  キャスタ
２  脚杆
３  脚柱
４  支基
５  枢軸
６  背凭れ支持体
７  背凭れ
８  座
９  背凭れ支持杆
９ａ前向杆
９ｂ上向杆
１０  カバー
１１  基板
１２  クッション体
１２ａクッション材
１２ｂ表皮材
１２ｃ凸部
１３  背枠
１４  背板
１５  凹入部
１６  開口
１７  開口
１８  凹部
１８ａ側壁
１９  前向突出部
２０  凸部
２１  連結軸
２１ａ雄ねじ部
２２  貫通孔
２３  板ナット
２４  スペーサスリーブ
２５  カバー
２５ａ弾性舌片
２６  連結部材
【図１】
0005559495.tif 000002
【図２】
0005559495.tif 000003
【図３】
0005559495.tif 000004
【図４】
0005559495.tif 000005
【図５】
0005559495.tif 000006
【図６】
0005559495.tif 000007
【図７】
0005559495.tif 000008
【図８】
0005559495.tif 000009
【図９】
0005559495.tif 000010